(57)【要約】      （修正有）【課題】薬と一緒に食べ物を食べる場合の用心すべき食べ物に関する情報であって、用心すべき食べ物を食べることに対する用心の程度が同じ程度情報を含む複数の用心情報を簡単に探すことができる薬の食べあわせガイドブックを提供する。【解決手段】薬の食べあわせガイドブック１は、表表紙２と、薬と一緒に食べる又は飲むことに対して用心すべき食べ物又は飲み物に関する用心情報が記載されている複数枚の用心情報記載紙と、裏表紙とを有する。表表紙及び複数枚の用心情報記載紙のそれぞれには、連通する開口２ａが形成されている。複数枚の用心情報記載紙のそれぞれには、用心情報記載紙と同じ面において、開口を形成する外縁の一部から開口の中心の側に突出している突出部４，５，６が設けられている。【選択図】図１
0003183786.tif 000002
【実用新案登録請求の範囲】
【請求項１】
表表紙と、
薬と一緒に食べる又は飲むことに対して用心すべき食べ物又は飲み物に関する用心情報が記載されている複数枚の用心情報記載紙と、
裏表紙とを備え、
前記表表紙、前記複数枚の用心情報記載紙及び前記裏表紙のそれぞれは、重ねられて綴じられており、
前記複数枚の用心情報記載紙の一方の面又は双方の面のそれぞれには、複数の薬のうちの互いに重複しない一つの薬についての前記用心情報が記載されており、
前記用心情報は、前記用心すべき食べ物又は飲み物を食べる又は飲むことに対する用心の程度を示す程度情報を含み、
前記表表紙及び前記複数枚の用心情報記載紙のそれぞれには、重ねられて綴じられた場合に連通する開口が形成されており、
前記複数枚の用心情報記載紙のそれぞれには、前記用心情報記載紙と同じ面において、前記開口を形成する外縁の一部から前記開口の中心の側に突出している突出部が設けられており、
前記程度が同じ前記程度情報を含む前記用心情報が記載されている複数枚の前記用心情報記載紙の各前記突出部は、前記程度が同じ前記程度情報を含む前記用心情報が記載されている複数枚の前記用心情報記載紙が重ねられた場合に互いに重なる位置に設けられ、
前記程度が互いに異なる前記程度情報を含む前記用心情報が記載されているいずれの二つの前記用心情報記載紙の各前記突出部も、前記二つの前記用心情報記載紙が重ねられた場合に互いに重ならない位置に設けられている
薬の食べあわせガイドブック。
【請求項２】
複数のリングを更に備え、
前記表表紙、前記複数枚の用心情報記載紙及び前記裏表紙のそれぞれには、外縁近傍の互いに共通する位置に前記リングの個数と同じ個数の孔が形成されており、
前記表表紙、前記複数枚の用心情報記載紙及び前記裏表紙は、前記複数のリングのそれぞれが複数の前記孔のうちの対応する前記孔に通されることにより綴じられており、
前記裏表紙には、前記裏表紙の一部を外部に折り曲げることを可能とするための切込みであって、前記裏表紙の一部が外部に折り曲げられた場合に前記表表紙及び前記複数枚の用心情報記載紙を支持する機能を前記裏表紙に発揮させるための線状の切込みが形成されている
請求項１に記載の薬の食べあわせガイドブック。
【請求項３】
各前記用心情報は、前記程度が同じ前記程度情報を含む前記用心情報とは同じ形態により記載され、前記程度が異なる前記程度情報を含む前記用心情報とは異なる形態により記載されている
請求項１又は２に記載の薬の食べあわせガイドブック。
【考案の詳細な説明】
【技術分野】
【０００１】
本考案は、複数の薬の飲み合わせ又は薬と一緒に食べる又は飲むこと（本願では、両者を含めて「薬の食べ合わせ」と言う）について用心すべき食べ物又は飲み物に関する注意情報を記載するガイドブックに関する。
【背景技術】
【０００２】
従来から、病気になった患者は、病院の医師によって診察を受け、医師によって発行された処方箋を持って薬局に行き、薬局において処方箋をもとに薬を購入する。薬局で薬を購入する場合、患者には、薬局から薬と共に薬手帳が譲渡され、薬の服用方法を含む薬情報が記載された薬局発行ラベルが薬手帳に貼付される（例えば、特許文献１参照）。
【０００３】
ところで、薬には、一緒に食べたり飲んだりすると、生命が危険になる状態や体調を崩す状態を生じさせたり、薬の効果が発揮されなくなる事態を生じさせる食べ物や飲み物がある。そのため、患者は、薬を服用する際、用心すべき食べ物又は飲み物に関する用心情報を取得する必要がある。用心情報は、書籍においてまとめられている。
【先行技術文献】
【特許文献】
【０００４】
【特許文献１】特開２０１１−３４３２８号公報
【考案の概要】
【考案が解決しようとする課題】
【０００５】
上述したように、薬には、その薬と一緒に食べる又は飲むことに対して用心すべき食べ物又は飲み物がある場合があり、薬毎に用心情報が存在する。薬毎に存在する各用心情報は、用心すべき食べ物又は飲み物を食べる又は飲むことに対する用心の程度を示す程度情報を含む。しかしながら、上述の書籍では、同じ程度を示す程度情報を含む複数の用心情報を簡単に探すことができない。なぜなら、同じ程度を示す程度情報を含む用心情報が記載されている各ページに、別の程度を示す程度情報を含む用心情報が記載されているページと区別することができるしおり等の突出物が設けられていないからである。患者は、同じ程度を示す程度情報を含む複数の用心情報を簡単に探すことができる書籍が提供されることを要求している。
【０００６】
本考案は、薬と一緒に食べ物又は飲み物を食べる又は飲む場合の用心すべき食べ物又は飲み物に関する情報であって、用心すべき食べ物又は飲み物を食べる又は飲むことに対する用心の程度が同じ程度情報を含む複数の用心情報を簡単に探すことができる薬の食べあわせガイドブックを提供することを目的とする。
【課題を解決するための手段】
【０００７】
本考案のある態様の薬の食べあわせガイドブックは、表表紙と、薬と一緒に食べる又は飲むことに対して用心すべき食べ物又は飲み物に関する用心情報が記載されている複数枚の用心情報記載紙と、裏表紙とを有する。表表紙、複数枚の用心情報記載紙及び裏表紙のそれぞれは、重ねられて綴じられている。複数枚の用心情報記載紙の一方の面又は双方の面のそれぞれには、複数の薬のうちの互いに重複しない一つの薬についての用心情報が記載されている。用心情報は、用心すべき食べ物又は飲み物を食べる又は飲むことに対する用心の程度を示す程度情報を含む。表表紙及び複数枚の用心情報記載紙のそれぞれには、重ねられて綴じられた場合に連通する開口が形成されている。複数枚の用心情報記載紙のそれぞれには、用心情報記載紙と同じ面において、開口を形成する外縁の一部から開口の中心の側に突出している突出部が設けられている。程度が同じ程度情報を含む用心情報が記載されている複数枚の用心情報記載紙の各突出部は、程度が同じ程度情報を含む用心情報が記載されている複数枚の用心情報記載紙が重ねられた場合に互いに重なる位置に設けられている。程度が互いに異なる程度情報を含む用心情報が記載されているいずれの二つの用心情報記載紙の各突出部も、二つの用心情報記載紙が重ねられた場合に互いに重ならない位置に設けられている。
【０００８】
本考案のある態様の薬の食べあわせガイドブックは、以下の特徴を有していてもよい。すなわち、本考案のある態様の薬の食べあわせガイドブックは、複数のリングを更に有する。表表紙、複数枚の用心情報記載紙及び裏表紙のそれぞれには、外縁近傍の互いに共通する位置にリングの個数と同じ個数の孔が形成されている。表表紙、複数枚の用心情報記載紙及び裏表紙は、複数のリングのそれぞれが複数の孔のうちの対応する孔に通されることにより綴じられている。裏表紙には、裏表紙の一部を外部に折り曲げることを可能とするための切込みであって、裏表紙の一部が外部に折り曲げられた場合に表表紙及び複数枚の用心情報記載紙を支持する機能を裏表紙に発揮させるための線状の切込みが形成されている。
【０００９】
各用心情報は、程度が同じ程度情報を含む用心情報とは同じ形態により記載され、程度が異なる程度情報を含む用心情報とは異なる形態により記載されてもよい。
【考案の効果】
【００１０】
本考案の薬の食べあわせガイドブックによれば、薬と一緒に食べ物又は飲み物を食べる又は飲む場合の用心すべき食べ物又は飲み物に関する情報又は複数の薬の飲み合わせに関する情報であって、用心すべき食べ物又は飲み物を食べる又は飲むことに対する用心の程度が同じ程度情報を含む複数の用心情報を簡単に探すことができる。
【図面の簡単な説明】
【００１１】
【図１】本考案の実施の形態における薬の食べあわせガイドブックの正面図である。
【図２】図１における薬の食べあわせガイドブックの表表紙の正面図である。
【図３】図１における薬の食べあわせガイドブックのガイド記載紙の正面図である。
【図４】図１における薬の食べあわせガイドブックの複数枚の用心情報記載紙のうち、ある一つの用心情報記載紙の正面図である。
【図５】図１における薬の食べあわせガイドブックの複数枚の用心情報記載紙のうち、ある一つの用心情報記載紙の正面図である。
【図６】図１における薬の食べあわせガイドブックの複数枚の用心情報記載紙のうち、ある一つの用心情報記載紙の正面図である。
【図７】図１における薬の食べあわせガイドブックの複数枚の用心情報記載紙のうち、ある一つの用心情報記載紙の正面図である。
【図８】図１における薬の食べあわせガイドブックの複数枚の用心情報記載紙のうち、ある一つの用心情報記載紙の正面図である。
【図９】図１における薬の食べあわせガイドブックの複数枚の用心情報記載紙のうち、ある一つの用心情報記載紙の正面図である。
【図１０】図１における薬の食べあわせガイドブックの複数枚の用心情報記載紙のうち、ある一つの用心情報記載紙の正面図である。
【図１１】図１における薬の食べあわせガイドブックの裏表紙の背面図である。
【図１２】図１における薬の食べあわせガイドブックの起立させた状態を裏表紙の背面側から見た状態を示す図である。
【図１３】図１２における起立した薬の食べあわせガイドブックを、薬の食べあわせガイドブックの左側から見た状態を示す図である。
【考案を実施するための形態】
【００１２】
以下に、本考案の実施の形態について、図面を参照して説明する。まず、本考案の実施の形態における薬の食べあわせガイドブック１の構成を説明する。本願における「食べあわせ」という用語は、薬と食べ物とを一緒に食べた場合の食べあわせそのものを意味することは勿論であるが、薬と飲み物とを一緒に飲んだ場合の飲みあわせを意味する場合がある。薬と食べ物とを一緒に食べる又は薬と飲み物とを一緒に飲むということは、実際に薬と食べ物又は飲み物とを一緒に食べる又は飲むことが含まれることは勿論であるが、食べる又は飲むという行為の前又は後の所定の期間内に薬を服用することも含まれる。所定の期間は、薬毎に臨床試験等の試験によって決定され、例えば３０分である。
【００１３】
図１は、本考案の実施の形態における薬の食べあわせガイドブック１の正面図である。図１に示す通り、薬の食べあわせガイドブック１は、表表紙２と、複数個のリング１２とを有する。図１には示されていないが、薬の食べあわせガイドブック１は、ガイド記載紙３、用心情報記載紙４０、用心情報記載紙４１、用心情報記載紙４２、用心情報記載紙５０、用心情報記載紙５１、用心情報記載紙６０、用心情報記載紙６１、突出部４、突出部５、突出部６及び裏表紙１１を更に有する。以下に、薬の食べあわせガイドブック１の各構成要素を順に説明する。
【００１４】
図２は、図１における薬の食べあわせガイドブック１の表表紙２の正面図である。表表紙２には、「一緒に食べないで！  薬の食べあわせガイド」という文字列の表題が記載されている。その表題は、薬の食べあわせガイドブック１が、薬と一緒に食べる又は飲むことに対して用心すべき食べ物又は飲み物に関する用心情報が記載されている本であることを示している。表表紙２の右下部には、開口２ａが形成されている。表表紙２の上部には、表表紙２の上辺と平行に並んでいる複数個の孔ｈが形成されている。孔ｈの個数はリング１２の個数と等しく、各孔ｈには、複数個のリング１２のうちの一つが通される。
【００１５】
図３は、図１における薬の食べあわせガイドブック１のガイド記載紙３の正面図である。ガイド記載紙３は、表表紙２に続くページの紙であって、薬の食べあわせガイドブック１の１ページ目の紙である。そのため、ガイド記載紙３の右下隅には「Ｐ１」という文字列が記載されている。上述の通り、薬の食べあわせガイドブック１には、薬と一緒に食べる又は飲むことに対して用心すべき食べ物又は飲み物に関する用心情報が記載されている。用心情報は、複数の薬のそれぞれについて存在する。薬毎に存在する各用心情報は、用心すべき食べ物又は飲み物を食べる又は飲むことに対する用心の程度を示す程度情報を含む。
【００１６】
本実施の形態では、用心の程度は、危険、警戒及び注意の三段階である。例えば、危険は、用心すべき食べ物又は飲み物を食べる又は飲むと生命が危険になる可能性があることを示す程度である。警戒は、用心すべき食べ物又は飲み物を食べる又は飲むと体調を崩す可能性があることを示す程度である。注意は、用心すべき食べ物又は飲み物を食べる又は飲むと薬の効果が発揮されない可能性があることを示す程度である。用心の程度は、危険が最も高く、警戒がその次に高く、注意が最も低い。
【００１７】
上述の通り、本実施の形態では用心の程度が危険、警戒及び注意の三段階であるので、ガイド記載紙３には、「危険！」、「警戒！」及び「注意！」という三つの文字列が記載されている。それら三つの文字列により、用心の程度が危険、警戒及び注意の三段階であることが示される。ガイド記載紙３には、更に、「危険！」という文字列の右側に「Ｐ２〜Ｐ１０」という文字列が記載されており、「警戒！」という文字列の右側に「Ｐ１１〜Ｐ１９」という文字列が記載されており、「注意！」という文字列の右側に「Ｐ２０〜Ｐ２８」という文字列が記載されている。
【００１８】
後に詳述するが、「Ｐ２〜Ｐ１０」という文字列は、複数枚の用心情報記載紙のうち、危険という用心の程度を示す程度情報を含む用心情報が記載されているものが２ページから１０ページに綴じられていることを示している。同様に、「Ｐ１１〜Ｐ１９」という文字列は、複数枚の用心情報記載紙のうち、警戒という用心の程度を示す程度情報を含む用心情報が記載されているものが１１ページから１９ページに綴じられていることを示している。更に同様に、「Ｐ２０〜Ｐ２８」という文字列は、複数枚の用心情報記載紙のうち、注意という用心の程度を示す程度情報を含む用心情報が記載されているものが２０ページから２８ページに綴じられていることを示している。
【００１９】
さらに、ガイド記載紙３の右下部には、開口３ａが形成されている。ガイド記載紙３の上部には、ガイド記載紙３の上辺と平行に並んでいる複数個の孔ｈが形成されている。孔ｈの個数はリング１２の個数と等しく、各孔ｈには、複数個のリング１２のうちの一つが通される。表表紙２とガイド記載紙３とが重ねられて綴じられた場合に表表紙２の開口２ａとガイド記載紙３の開口３ａとが連通し、かつ表表紙２と孔ｈとガイド記載紙３の孔ｈとが連通するように、開口３ａ及び複数個の孔ｈは形成されている。
【００２０】
図４は、図１における薬の食べあわせガイドブック１の複数枚の用心情報記載紙のうち、ある一つの用心情報記載紙４０の正面図である。用心情報記載紙４０には、「危険！」という文字列が記載されている。「危険！」という文字列は、危険という用心の程度を示す程度情報を含む用心情報が記載されている複数枚の用心情報記載紙が用心情報記載紙４０の後に続くことを示す。用心情報記載紙４０における背景及び「危険！」という文字列の全部又は一部は例えば赤色で表示されている。用心情報記載紙４０は、ガイド記載紙３に続く２ページ目の紙であるので、用心情報記載紙４０の右下隅には「Ｐ２」という文字列が記載されている。
【００２１】
用心情報記載紙４０の右下部には、開口４０ａが形成されている。用心情報記載紙４０の上部には、用心情報記載紙４０の上辺と平行に並んでいる複数個の孔ｈが形成されている。孔ｈの個数はリング１２の個数と等しく、各孔ｈには、複数個のリング１２のうちの一つが通される。表表紙２と用心情報記載紙４０とが重ねられて綴じられた場合に表表紙２の開口２ａと用心情報記載紙４０の開口４０ａとが連通し、かつ表表紙２と孔ｈと用心情報記載紙４０の孔ｈとが連通するように、開口４０ａ及び複数個の孔ｈは形成されている。
【００２２】
加えて、用心情報記載紙４０には、用心情報記載紙４０と同じ面において、開口４０ａを形成する外縁の一部から開口４０ａの中心の側に突出している突出部４が設けられている。上述の通り、表表紙２と用心情報記載紙４０とが重ねられて綴じられた場合、表表紙２の開口２ａと用心情報記載紙４０の開口４０ａとは連通する。そのため、図１に示す通り、表表紙２の正面から開口２ａを通して、用心情報記載紙４０の開口４０ａの近傍に設けられている突出部４を視認することができる。
【００２３】
図５は、図１における薬の食べあわせガイドブック１の複数枚の用心情報記載紙のうち、ある一つの用心情報記載紙４１の正面図である。用心情報記載紙４１は、危険という用心の程度を示す程度情報を含む用心情報が記載されている用心情報記載紙である。用心情報記載紙４１には、「一緒に食べないで！  降圧剤とグレープフルーツ」という文字列と、「降圧剤とグレープフルーツを一緒に食べると、めまいや頻脈を起こすことがあり危険です。」という文字列とが記載されている。用心情報記載紙４１における各文字列の全部又は一部は例えば赤色で表示されている。このように、用心情報記載紙４１における用心情報の程度は用心情報記載紙４０における用心情報の程度と同じなので、用心情報記載紙４１における用心情報は、程度が同じ程度情報を含む用心情報記載紙４０における用心情報と同じ形態により記載されている。用心情報記載紙４１は、用心情報記載紙４０に続く３ページ目の紙であるので、用心情報記載紙４１の右下隅には「Ｐ３」という文字列も記載されている。
【００２４】
用心情報記載紙４１の右下部には、開口４１ａが形成されている。用心情報記載紙４１の上部には、用心情報記載紙４１の上辺と平行に並んでいる複数個の孔ｈが形成されている。孔ｈの個数はリング１２の個数と等しく、各孔ｈには、複数個のリング１２のうちの一つが通される。表表紙２と用心情報記載紙４１とが重ねられて綴じられた場合に表表紙２の開口２ａと用心情報記載紙４１の開口４１ａとが連通し、かつ表表紙２と孔ｈと用心情報記載紙４１の孔ｈとが連通するように、開口４１ａ及び複数個の孔ｈは形成されている。
【００２５】
加えて、用心情報記載紙４１には、用心情報記載紙４１と同じ面において、開口４１ａを形成する外縁の一部から開口４１ａの中心の側に突出している突出部４が設けられている。用心情報記載紙４０と用心情報記載紙４１とが重ねられた場合に用心情報記載紙４０の突出部４と用心情報記載紙４１の突出部４とが重なる位置に、突出部４は設けられている。さらに、用心情報記載紙４１には、一本の斜線を内部に含む円を有する危険マーク４１ｂが記載されている。危険マーク４１ｂの全部又は一部は例えば赤色で表示されている。危険マーク４１ｂには、グレープフルーツの絵も描画されている。すなわち、図５に示す用心情報記載紙４１には、降圧剤とグレープフルーツとを一緒に食べると、生命が危険になる可能性があることを示す用心情報が記載されている。
【００２６】
図６は、図１における薬の食べあわせガイドブック１の複数枚の用心情報記載紙のうち、ある一つの用心情報記載紙４２の正面図である。用心情報記載紙４２は、危険という用心の程度を示す程度情報を含む用心情報が記載されている用心情報記載紙である。用心情報記載紙４２には、「一緒に飲まないで！睡眠導入剤とお酒」という文字列と、「睡眠導入剤とお酒を一緒に飲むと、呼吸が止まる可能性があり危険です。」という文字列とが記載されている。用心情報記載紙４２における各文字列の全部又は一部は例えば赤色で表示されている。このように、用心情報記載紙４２における用心情報の程度は用心情報記載紙４０及び用心情報記載紙４１における用心情報の程度と同じなので、用心情報記載紙４２における用心情報は、程度が同じ程度情報を含む用心情報記載紙４０及び用心情報記載紙４１における用心情報と同じ形態により記載されている。用心情報記載紙４２は、用心情報記載紙４１に続く４ページ目の紙であるので、用心情報記載紙４２の右下隅には「Ｐ４」という文字列も記載されている。
【００２７】
用心情報記載紙４２の右下部には、開口４２ａが形成されている。用心情報記載紙４２の上部には、用心情報記載紙４２の上辺と平行に並んでいる複数個の孔ｈが形成されている。孔ｈの個数はリング１２の個数と等しく、各孔ｈには、複数個のリング１２のうちの一つが通される。表表紙２と用心情報記載紙４２とが重ねられて綴じられた場合に表表紙２の開口２ａと用心情報記載紙４２の開口４２ａとが連通し、かつ表表紙２と孔ｈと用心情報記載紙４２の孔ｈとが連通するように、開口４２ａ及び複数個の孔ｈは形成されている。
【００２８】
加えて、用心情報記載紙４２には、用心情報記載紙４２と同じ面において、開口４２ａを形成する外縁の一部から開口４２ａの中心の側に突出している突出部４が設けられている。用心情報記載紙４０と用心情報記載紙４２とが重ねられた場合に用心情報記載紙４０の突出部４と用心情報記載紙４２の突出部４とが重なる位置に、突出部４は設けられている。さらに、用心情報記載紙４２には、一本の斜線を内部に含む円を有する危険マーク４２ｂが記載されている。図５の危険マーク４１ｂと同様に、危険マーク４２ｂの全部又は例えば赤色で表示されている。危険マーク４２ｂには、ワイングラス及びビールグラスの絵も描画されている。すなわち、図６に示す用心情報記載紙４２には、睡眠導入剤とお酒を一緒に飲むと、呼吸が止まる可能性があることを示す用心情報が記載されている。なお、危険という用心の程度を示す程度情報を含む具体的な用心情報が記載されている用心情報記載紙の例として用心情報記載紙４１、４２を挙げたが、薬の食べあわせガイドブック１には、用心情報記載紙４１、４２と同様の用心情報記載紙が５から１０ページ分含まれる。
【００２９】
図７は、図１における薬の食べあわせガイドブック１の複数枚の用心情報記載紙のうち、ある一つの用心情報記載紙５０の正面図である。用心情報記載紙５０には、「警戒！」という文字列が記載されている。「警戒！」という文字列は、警戒という用心の程度を示す程度情報を含む用心情報が記載されている複数枚の用心情報記載紙が用心情報記載紙５０の後に続くことを示す。用心情報記載紙５０における背景及び「警戒！」という文字列の全部又は一部は例えば黄色で表示されている。用心情報記載紙４０、４１、４２における用心の程度は危険であり、用心情報記載紙５０における用心の程度は警戒であって、用心情報記載紙５０における用心の程度は、用心情報記載紙４０、４１、４２における用心の程度と異なる。そのため、用心情報記載紙５０における背景及び「警戒！」という文字列の用心情報は、用心情報記載紙４０、４１、４２における用心情報と異なる形態により記載される。用心情報記載紙５０は、１１ページ目の紙であるので、用心情報記載紙５０の右下隅には「Ｐ１１」という文字列も記載されている。
【００３０】
用心情報記載紙５０の右下部には、開口５０ａが形成されている。用心情報記載紙５０の上部には、用心情報記載紙５０の上辺と平行に並んでいる複数個の孔ｈが形成されている。孔ｈの個数はリング１２の個数と等しく、各孔ｈには、複数個のリング１２のうちの一つが通される。表表紙２と用心情報記載紙５０とが重ねられて綴じられた場合に表表紙２の開口２ａと用心情報記載紙５０の開口５０ａとが連通し、かつ表表紙２と孔ｈと用心情報記載紙５０の孔ｈとが連通するように、開口５０ａ及び複数個の孔ｈは形成されている。
【００３１】
加えて、用心情報記載紙５０には、用心情報記載紙５０と同じ面において、開口５０ａを形成する外縁の一部から開口５０ａの中心の側に突出している突出部５が設けられている。表表紙２、用心情報記載紙４０及び用心情報記載紙５０が重ねられた場合に用心情報記載紙４０の突出部４と用心情報記載紙５０の突出部５とが重ならない位置に、突出部５は設けられている。上述の通り、表表紙２と用心情報記載紙５０とが重ねられて綴じられた場合に表表紙２の開口２ａと用心情報記載紙５０の開口５０ａとは連通する。そのため、図１に示す通り、表表紙２の正面から開口２ａを通して、用心情報記載紙５０の開口５０ａの近傍に設けられている突出部５を視認することができる。
【００３２】
図８は、図１における薬の食べあわせガイドブック１の複数枚の用心情報記載紙のうち、ある一つの用心情報記載紙５１の正面図である。用心情報記載紙５１は、警戒という用心の程度を示す程度情報を含む用心情報が記載されている用心情報記載紙である。用心情報記載紙５１には、「一緒に食べないで！  風邪薬とチーズ」という文字列と、「風邪薬とチーズを一緒に食べると、血圧が上昇してしまうことがあるので警戒が必要です。」という文字列とが記載されている。用心情報記載紙５１における各文字列の全部又は一部は例えば黄色で表示されている。このように、用心情報記載紙５１における用心の程度は用心情報記載紙５０における用心の程度と同じなので、用心情報記載紙５１における用心情報は、程度が同じ程度情報を含む用心情報記載紙５０における用心情報と同じ形態により記載されている。用心情報記載紙５１における用心情報は、程度が異なる程度情報を含む用心情報記載紙４０、４１、４２における用心情報とは異なる形態により記載されている。用心情報記載紙５１は１２ページ目の紙であるので、そのことを示す「Ｐ１２」という文字列が用心情報記載紙５１の右下隅に記載されている。
【００３３】
用心情報記載紙５１の右下部には、開口５１ａが形成されている。用心情報記載紙５１の上部には、用心情報記載紙５１の上辺と平行に並んでいる複数個の孔ｈが形成されている。孔ｈの個数はリング１２の個数と等しく、各孔ｈには、複数個のリング１２のうちの一つが通される。表表紙２と用心情報記載紙５１とが重ねられて綴じられた場合に表表紙２の開口２ａと用心情報記載紙５１の開口５１ａとが連通し、かつ表表紙２と孔ｈと用心情報記載紙５１の孔ｈとが連通するように、開口５１ａ及び複数個の孔ｈは形成されている。
【００３４】
加えて、用心情報記載紙５１には、用心情報記載紙５１と同じ面において、開口５１ａを形成する外縁の一部から開口５１ａの中心の側に突出している突出部５が設けられている。用心情報記載紙５０と用心情報記載紙５１とが重ねられた場合に用心情報記載紙５０の突出部５と用心情報記載紙５１の突出部５とが重なる位置に、突出部５は設けられている。さらに、用心情報記載紙５１には、一本の斜線を内部に含む菱形を有する警戒マーク５１ｂが記載されている。警戒マーク５１ｂの全部又は一部は黄色で表示されている。警戒マーク５１ｂには、チーズの絵も描画されている。すなわち、図８に示す用心情報記載紙５１には、風邪薬とチーズを一緒に食べると、血圧が上昇してしまうことがあるので警戒が必要であることを示す用心情報が記載されている。なお、警戒という用心の程度を示す程度情報を含む具体的な用心情報が記載されている用心情報記載紙の例として用心情報記載紙５１を挙げたが、薬の食べあわせガイドブック１には、用心情報記載紙５１と同様の用心情報記載紙が１３から１９ページ分含まれる。
【００３５】
図９は、図１における薬の食べあわせガイドブック１の複数枚の用心情報記載紙のうち、ある一つの用心情報記載紙６０の正面図である。用心情報記載紙６０には、「注意！」という文字列が記載されている。「注意！」という文字列は、注意という用心の程度を示す程度情報を含む用心情報が記載されている複数枚の用心情報記載紙が用心情報記載紙６０の後に続くことを示す。用心情報記載紙６０における背景及び「注意！」という文字列の全部又は一部は例えば青色で表示されている。用心情報記載紙４０、４１、４２における用心の程度は危険であり、用心情報記載紙５０、５１における用心の程度は警戒であり、用心情報記載紙６０における用心の程度は注意であって、用心情報記載紙６０における用心の程度は、用心情報記載紙４０、４１、４２における用心の程度とも、用心情報記載紙５０における用心の程度とも異なる。そのため、用心情報記載紙６０における背景及び「注意！」という文字列の用心情報は、用心情報記載紙４０、４１、４２における用心情報とも、用心情報記載紙５０、５１、４２における用心情報とも異なる形態により記載される。用心情報記載紙６０は、２０ページ目の紙であるので、用心情報記載紙６０の右下隅には「Ｐ２０」という文字列も記載されている。
【００３６】
用心情報記載紙６０の右下部には、開口６０ａが形成されている。用心情報記載紙６０の上部には、用心情報記載紙６０の上辺と平行に並んでいる複数個の孔ｈが形成されている。孔ｈの個数はリング１２の個数と等しく、各孔ｈには、複数個のリング１２のうちの一つが通される。表表紙２と用心情報記載紙６０とが重ねられて綴じられた場合に表表紙２の開口２ａと用心情報記載紙６０の開口６０ａとが連通し、かつ表表紙２と孔ｈと用心情報記載紙６０の孔ｈとが連通するように、開口６０ａ及び複数個の孔ｈは形成されている。
【００３７】
加えて、用心情報記載紙６０には、用心情報記載紙６０と同じ面において、開口６０ａを形成する外縁の一部から開口６０ａの中心の側に突出している突出部６が設けられている。表表紙２、用心情報記載紙４０、用心情報記載紙５０及び用心情報記載紙６０が重ねられた場合に用心情報記載紙４０の突出部４と用心情報記載紙５０の突出部５と用心情報記載紙６０の突出部６とが重ならない位置に、突出部６は設けられている。上述の通り、表表紙２と用心情報記載紙６０とが重ねられて綴じられた場合に表表紙２の開口２ａと用心情報記載紙６０の開口６０ａとは連通する。そのため、図１に示す通り、表表紙２の正面から開口２ａを通して、用心情報記載紙６０の開口６０ａの近傍に設けられている突出部６を視認することができる。
【００３８】
図１０は、図１における薬の食べあわせガイドブック１の複数枚の用心情報記載紙のうち、ある一つの用心情報記載紙６１の正面図である。用心情報記載紙６１は、注意という用心の程度を示す程度情報を含む用心情報が記載されている用心情報記載紙である。用心情報記載紙６１には、「一緒に食べないで！  風邪薬と甘い食べ物」という文字列と、「風邪薬とケーキ等の甘い食べ物を一緒に食べると、薬の効き目が弱くなってしまうことがあります。」という文字列とが記載されている。用心情報記載紙６１における各文字列の全部又は一部は例えば青色で表示されている。このように、用心情報記載紙６１における用心の程度は用心情報記載紙６０における用心の程度と同じなので、用心情報記載紙６１における用心情報は、程度が同じ程度情報を含む用心情報記載紙６０における用心情報と同じ形態により記載されている。用心情報記載紙６１における用心情報は、用心の程度が異なる程度情報を含む用心情報記載紙４０、４１、４２における用心情報とも、用心情報記載紙５０、５１とも異なる形態により記載されている。用心情報記載紙６１は２１ページ目の紙であるので、そのことを示す「Ｐ２１」という文字列が用心情報記載紙６１の右下隅に記載されている。
【００３９】
用心情報記載紙６１の右下部には、開口６１ａが形成されている。用心情報記載紙６１の上部には、用心情報記載紙６１の上辺と平行に並んでいる複数個の孔ｈが形成されている。孔ｈの個数はリング１２の個数と等しく、各孔ｈには、複数個のリング１２のうちの一つが通される。表表紙２と用心情報記載紙６１とが重ねられて綴じられた場合に表表紙２の開口２ａと用心情報記載紙６１の開口６１ａとが連通し、かつ表表紙２と孔ｈと用心情報記載紙６１の孔ｈとが連通するように、開口６１ａ及び複数個の孔ｈは形成されている。
【００４０】
加えて、用心情報記載紙６１には、用心情報記載紙６１と同じ面において、開口６１ａを形成する外縁の一部から開口６１ａの中心の側に突出している突出部６が設けられている。用心情報記載紙６０と用心情報記載紙６１とが重ねられた場合に用心情報記載紙６０の突出部６と用心情報記載紙６１の突出部６とが重なる位置に、突出部６は形成されている。さらに、用心情報記載紙６１には、一本の斜線を内部に含む正方形を有する注意マーク６１ｂが記載されている。注意マーク６１ｂの全部又は一部は、青色で表示されている。注意マーク６１ｂには、甘い食べ物の一例としてのケーキの絵も描画されている。すなわち、図１０に示す用心情報記載紙６１には、風邪薬とケーキ等の甘い食べ物を一緒に食べると、薬の効き目が弱くなってしまうことがあるので用心が必要であることを示す用心情報が記載されている。なお、注意という用心の程度を示す程度情報を含む具体的な用心情報が記載されている用心情報記載紙の例として用心情報記載紙６１を挙げたが、薬の食べあわせガイドブック１には、用心情報記載紙６１と同様の用心情報記載紙が２２から２８ページ分含まれる。
【００４１】
図１１は、図１における薬の食べあわせガイドブック１の裏表紙１１の背面図である。裏表紙１１の上部には、裏表紙１１の上辺と平行に並んでいる複数個の孔ｈが形成されている。孔ｈの個数はリング１２の個数と等しく、各孔ｈには、複数個のリング１２のうちの一つが通される。表表紙２と裏表紙１１とが重ねられて綴じられた場合に表表紙２と孔ｈと裏表紙１１の孔ｈとが連通するように、複数個の孔ｈは形成されている。裏表紙１１には、複数個の孔ｈ以外には開口は形成されていない。
【００４２】
裏表紙１１には、裏表紙１１の一部である右脚機能保持部１１ｃ、左脚機能保持部１１ｄ及び安定機能保持部１１ｅを外部に折り曲げることを可能とするための線状の切欠き１１ａが形成されている。切欠き１１ａは、裏表紙１１の一部である右脚機能保持部１１ｃ、左脚機能保持部１１ｄ及び安定機能保持部１１ｅが外部に折り曲げられた場合に表表紙２及び複数枚の用心情報記載紙を支持する機能を裏表紙１１に発揮させるためのものである。裏表紙１１の背面には、裏表紙１１の一部である右脚機能保持部１１ｃ、左脚機能保持部１１ｄ及び安定機能保持部１１ｅが外部に折り曲げられるに用いられる折り目線１１ｂが形成されている。
【００４３】
上述した表表紙２、ガイド記載紙３、用心情報記載紙４０、用心情報記載紙４１、用心情報記載紙４２、用心情報記載紙５０、用心情報記載紙５１、用心情報記載紙６０、用心情報記載紙６１及び裏表紙１１等のそれぞれは、重ねられて、各紙の互いに共通する位置に形成されている各紙の孔ｈにリング１２が一つずつ通されることにより綴じられ、それによって薬の食べあわせガイドブック１が構成されている。このように各紙が重ねられて綴じられた場合、各紙に形成されている開口は連通し、程度が同じ程度情報を含む用心情報が記載されている用心情報記載紙の各突出部は重なり、程度が互いに異なる程度情報を含む用心情報が記載されているいずれの二つの用心情報記載紙の突出部も重ならない。
【００４４】
図１２は、図１における薬の食べあわせガイドブック１の起立させた状態を裏表紙１１の背面側から見た状態を示す図である。更に言うと、図１２は、図１１に示されている裏表紙１１の一部である右脚機能保持部１１ｃ、左脚機能保持部１１ｄ及び安定機能保持部１１ｅが折り目線１１ｂの位置で外部に折り曲げられ、薬の食べあわせガイドブック１が机の上で起立した状態を示す図である。なお、机は表示されていない。
【００４５】
図１３は、図１２における起立した薬の食べあわせガイドブック１を、薬の食べあわせガイドブック１の左側から見た状態を示す図である。図１２及び１３に示す通り、左脚機能保持部１１ｄ及び安定機能保持部１１ｅが折り目線１１ｂの位置で外部に折り曲げられると、薬の食べあわせガイドブック１は裏表紙１１を支持部として起立することができる。
【００４６】
上述の通り、本実施の形態における薬の食べあわせガイドブック１では、裏表紙１１を除く各紙に開口が形成されており、用心の程度が同じ程度情報を含む用心情報が記載されている用心情報記載紙に設けられている突出部は重ねられて、表表紙２の正面から開口２ａを通して視認することができる。加えて、程度が互いに異なる程度情報を含む用心情報が記載されているいずれの二つの用心情報記載紙の突出部も重ならない。したがって、本実施の形態における薬の食べあわせガイドブック１によれば、薬と一緒に食べ物又は飲み物を食べる又は飲む場合の用心すべき食べ物又は飲み物に関する情報であって、用心すべき食べ物又は飲み物を食べる又は飲むことに対する用心の程度が同じ程度情報を含む複数の用心情報を簡単に探すことができる。
【００４７】
本実施の形態では、突出部４、５、６は、各紙の面内に設けられている。目印等の機能を有する突出部は従来、各紙の右又は左の外側に設けられることはあるが、突出部４、５、６が各紙の面内に設けられているのは斬新である。その上、用心の程度が同じ程度情報を含む用心情報が記載されている用心情報記載紙に設けられている突出部は重ねられて、表表紙２の正面から開口２ａを通して視認することができる。そのため、患者の突出部４、５、６に対する関心度は高まり、一種の遊び心も加わって、薬の食べあわせガイドブック１に注目する可能性が高くなる。その結果、患者は、薬の食べあわせガイドブック１を手に取り、薬と食べ物又は飲み物との食べあわせに関する知識を気軽に取得することができる。
【００４８】
加えて、本実施の形態における薬の食べあわせガイドブック１の裏表紙１１には切欠き１１ａが形成されているので、薬の食べあわせガイドブック１を、裏表紙１１を支持部として起立させることができる。つまり、薬の食べあわせガイドブック１を薬局における待合室の机の上に容易に起立させることができる。薬の食べあわせガイドブック１が机の上に起立していれば、薬の食べあわせガイドブック１が机の上に寝かされている場合よりも、薬が譲渡されるのを待っている患者が薬の食べあわせガイドブック１に注意をひく可能性が高くなる。その結果、患者は、薬の食べあわせガイドブック１を手に取り、薬と食べ物又は飲み物との食べあわせに関する知識を容易に取得することができる。
【００４９】
さらに、本実施の形態における薬の食べあわせガイドブック１における各用心情報は、用心の程度が同じ程度情報を含む用心情報とは同じ形態によって記載され、用心の程度が異なる程度情報を含む用心情報とは異なる形態によって記載される。形態は、例えば色である。本実施の形態の具体例では、赤色、黄色及び青色である。そのため、患者は、薬と一緒に食べ物又は飲み物を食べる又は飲む場合の用心すべき食べ物又は飲み物に関する情報であって、用心すべき食べ物又は飲み物を食べる又は飲むことに対する用心の程度が同じ程度情報を含む複数の用心情報をより簡単に探すことができる。
【００５０】
なお、上述した実施の形態では、薬の食べあわせガイドブック１はリング１２を有し、表表紙２、複数枚の用心情報記載紙及び裏表紙１１はリング１２によって綴じられている。そのため、リング１２にひも等を通してひもを壁等の突起物にかけることにより、薬の食べあわせガイドブック１を薬局の待合室に置くことができる。その場合、裏表紙１１は無くてもよいし、存在していても切欠き１１ａ及び折り目線１１ｂは無くてもよい。
【００５１】
上述した実施の形態では、薬の食べあわせガイドブック１はリング１２を有し、表表紙２、複数枚の用心情報記載紙及び裏表紙１１はリング１２によって綴じられている。しかしながら、薬の食べあわせガイドブック１はリング１２を有しておらず、表表紙２、複数枚の用心情報記載紙及び裏表紙１１はリング１２によらず、糸等によって綴じられてもよい。
【００５２】
上述した実施の形態では、薬の食べあわせガイドブック１における各用心情報は、用心の程度が同じ程度情報を含む用心情報とは同じ形態によって記載され、用心の程度が異なる程度情報を含む用心情報とは異なる形態によって記載される。しかしながら、各用心情報は、用心の程度が同じ程度情報を含む用心情報と異なる形態によって記載されてもよいし、用心の程度が異なる程度情報を含む用心情報と同じ形態によって記載されてもよい。
【００５３】
上述した実施の形態では、用心の程度は、危険、警戒及び注意の三段階である。しかしながら、用心の程度は、危険、警戒及び注意の三段階に限定されない。用心の程度は、いくつかの段階に予め決められる。
【００５４】
複数枚の用心情報記載紙のそれぞれについて、用心情報は表面にのみ記載されてもよいし、表面と裏面の両面に記載されてもよい。
【００５５】
本考案は上述の実施の形態に限定されない。実施の形態は本考案の趣旨に基づき種々の変形が可能であり、変形例は本考案の範囲から排除されない。
【産業上の利用可能性】
【００５６】
本考案は、薬と一緒に食べる又は飲むことに対して用心すべき食べ物又は飲み物に関する用心情報が記載されている薬の食べあわせガイドブックに関するので、産業上の利用可能性を有する。
【符号の説明】
【００５７】
１  薬の食べあわせガイドブック
２  表表紙
２ａ  開口
３  ガイド記載紙
３ａ  開口
４、５、６  突出部
４０、４１、４２、５０、５１、６０、６１  用心情報記載紙
４０ａ、４１ａ、４２ａ、５０ａ、５１ａ、６０ａ、６１ａ  開口
４１ｂ、４２ｂ  危険マーク
５１ｂ  警戒マーク
６１ｂ  注意マーク
１１ａ  切欠き
１１ｂ  折り目線
１１ｃ  右脚機能保持部
１１ｄ  左脚機能保持部
１１ｅ  安定機能保持部
１２  リング
１１  裏表紙
ｈ  孔
【図１】
0003183786.tif 000003
【図２】
0003183786.tif 000004
【図３】
0003183786.tif 000005
【図４】
0003183786.tif 000006
【図５】
0003183786.tif 000007
【図６】
0003183786.tif 000008
【図７】
0003183786.tif 000009
【図８】
0003183786.tif 000010
【図９】
0003183786.tif 000011
【図１０】
0003183786.tif 000012
【図１１】
0003183786.tif 000013
【図１２】
0003183786.tif 000014
【図１３】
0003183786.tif 000015